(57)【要約】【課題】使用者に十分なマッサージ効果を与えることができるマッサージ機を提供する。【解決手段】本発明のマッサージ機１は、施療する部位に対応することができるように水平方向へ延びると共に施療する部位に当接してマッサージを行う施療部５を備えている本体部２と、本体部２の一端側および他端側から本体部２に対して交差するように突出すると共に先端部を使用者が把持可能とされている突出部３と、を有していて、施療部５が、施療する部位を向く軸心に対して偏心回転する揉み玉６を備えている。【選択図】図１
2013031567.tif 000002
【特許請求の範囲】
【請求項１】
施療する部位に対応することができるように水平方向へ延びると共に施療する部位に当接してマッサージを行う施療部を備えている本体部と、前記本体部の一端側および他端側から本体部に対して交差するように突出すると共に先端部を使用者が把持可能とされている突出部と、を有していて、前記施療部が、施療する部位を向く軸心に対して偏心回転する揉み玉を備えていることを特徴とするマッサージ機。
【請求項２】
前記揉み玉は、回転方向を切り替え可能に構成されていることを特徴とする請求項１に記載のマッサージ機。
【請求項３】
前記揉み玉の内部には、施療する部位を暖めることが可能な発熱手段が備えられていることを特徴とする請求項１又は２に記載のマッサージ機。
【請求項４】
前記突出部は、前記本体部と前記突出部が接続されている基端部を有していて、
前記基端部の下面側には、施療する部位を振動にてマッサージすることが可能な振動手段を備えていることを特徴とする請求項１〜３のいずれかに記載のマッサージ機。
【請求項５】
前記本体部は、施療する部位に前記本体部を固定する施療固定部が設けられていて、
前記施療固定部は、前記本体部の中央部から下方に向けて膨らむように突出されていることを特徴とする請求項１〜４のいずれかに記載のマッサージ機。
【発明の詳細な説明】
【技術分野】
【０００１】
本発明は、使用者の首肩部に対して、マッサージを行うマッサージ機に関する。
【背景技術】
【０００２】
携帯型のマッサージ機として使用者の首部に巻き付け可能なＵ字形の形状をしたものがある。例えば、特許文献１には、「適宜のマッサージ機能を有するマッサージ体を略Ｕ字形状に形成し、このマッサージ体は、首部の後方周囲に当接する中央マッサージ部と両肩部に当接する両側マッサージ部と、両肩部の前方側にならうように湾曲した両先端部より成り、このマッサージ体を前方を開口側に首肩部位に位置させて首肩部周囲をマッサージするようにした」マッサージ機が開示されている。
【０００３】
この開示されているマッサージ機は、使用者の首肩部位にマッサージ機を架けることにより、使用者の姿勢を問わずに使用可能なマッサージ機である。このマッサージ機には、電動モータの振動を利用して使用者の患部を施療する装置が採用されている。
【先行技術文献】
【特許文献】
【０００４】
【特許文献１】特開２００２−０００６８５号公報
【発明の概要】
【発明が解決しようとする課題】
【０００５】
特許文献１のマッサージ機は、電動モータの振動を利用した装置である。しかしながら、電動モータが含まれるマッサージ部が、任意の位置に配置されており、配置された電動モータによる振動は、マッサージ部が使用者の施療したい部位（患部）に効果的にマッサージをすることができない場合があると思われる。また、電動モータによる振動だけでは、使用者の患部に対しての揉み方が単純なものになってしまう。このようなマッサージ機の動きだけでは、使用者の患部は十分なマッサージ効果が得ることができない虞がある。
【０００６】
本発明は、上記の事情を鑑みてなされたものであり、マッサージ機の施療部に回転する揉み玉を採用して、使用者に十分なマッサージ効果を与えることができるマッサージ機を提供することを目的とする。
【課題を解決するための手段】
【０００７】
前記目的を達成するために、本発明は次の手段を講じた。
すなわち、本発明に係るマッサージ機は、施療する部位に対応することができるように水平方向へ延びると共に施療する部位に当接してマッサージを行う施療部を備えている本体部と、前記本体部の一端側および他端側から本体部に対して交差するように突出すると共に先端部を使用者が把持可能とされている突出部と、を有していて、前記施療部が、施療する部位を向く軸心に対して偏心回転する揉み玉を備えていることを特徴とする。
【０００８】
また、前記揉み玉は、回転方向を切り替えることが可能であることが好ましい。
また、前記揉み玉の内部には、施療する部位を暖めることが可能な発熱手段が備えられていることが好ましい。
また、前記突出部は、前記本体部と前記突出部が接続されている基端部を有していて、前記基端部の下面側には、施療する部位を振動にてマッサージすることが可能な振動手段を備えていることが好ましい。
【０００９】
また、前記本体部は、施療する部位に前記本体部を固定する施療固定部が設けられていて、前記施療固定部は、前記本体部の中央部から下方に向けて膨らむように突出されていることが好ましい。
【発明の効果】
【００１０】
本発明に係るマッサージ機によれば、使用者の施療する部位に高いマッサージ効果が得られるようになる。
【図面の簡単な説明】
【００１１】
【図１】本発明のマッサージ機の斜視図である。
【図２】マッサージ機の正面図である。
【図３】マッサージ機の底面図である。
【図４】マッサージ機の施療部の前側ハウジングを外した施療部の内部を示す正面図である。
【図５】マッサージ機の施療部の内部を示す断面左側面図である。
【図６】マッサージ機の使用形態図である。
【発明を実施するための形態】
【００１２】
以下、本発明のマッサージ機を図面に基づいて説明する。
図６に示すように、本発明のマッサージ機１は、使用者Ｕが肩にかけて装着することができる携行型のマッサージ機１である。
以降の説明では、前後方向・上下方向・水平方向の表現を用いてマッサージ機１の説明をする。マッサージ機１は、詳細は後述するが、図６のように装着するものであり、このマッサージ機１を装着した使用者Ｕから見た前後方向、上下方向を、マッサージ機１を説明する際の前後方向、上下方向とする。水平方向は、使用者Ｕの左右の肩部に平行な方向とする。
【００１３】
図１〜図３に示すように、マッサージ機１の形状は、本体部２と左右の突出部３から形成されて、Ｕ字形状になっている。本体部２は、水平方向に延びるように形成されている。この本体部２の下部側には、使用者Ｕの首肩部にマッサージ機１がフィットするように垂下状に設けられた施療固定部４がある。施療固定部４には、施療部５が収められている。
【００１４】
突出部３は、本体部２の一端側および他端側の両側から本体部２に対して直交するように（交差するように）前方向に突出している。本体部２と突出部３は、一体成形されてマッサージ機１の全体を形成している。
施療部５は、施療固定部４に形成された開口部に埋め込まれていて、使用者Ｕの患部を施療する揉み玉６を備えている。この揉み玉６は、その外観が山形状で施療部５の本体から前方向に突出するように設けられている。揉み玉６は、偏心回転して使用者Ｕの患部を施療する。
【００１５】
マッサージ機１の全体には、布製のカバーが全体を覆うように被せられて、ファスナーで閉じられている。
図１〜図３に示すように、本体部２は、使用者Ｕの肩部に沿いながら、水平方向に延びており、使用者Ｕの首部から背中上部を覆うように、上下方向に形成されている。マッサージ機１は、前述の形状により、使用者Ｕの首周りを巻くような形状をしている。本体部２は、使用者Ｕの首肩部に負担が掛からないように、弾力性のある軟質のクッション材が使用されている。例えば、発泡ウレタンなどのスポンジ体が挙げられる。この本体部２の両側には、前方向に突出している突出部３が形成されている。この本体部２の中央下方側には、施療固定部４が形成されている。
【００１６】
突出部３は、本体部２の一端側と他端側の両側から前方に突出していて、突出部３の先端に行くに連れて細くなる形状をしている。突出部３の先端部には、マッサージ機１の施療部５を、使用者Ｕの首肩部に押し付けるための把持可能手段８が設けられている。この把持可能手段８は、突出部３の先端の下面側に設けられていて、使用者Ｕが手で握られる形状である。使用者Ｕが、両手で突出部３の両側にある把持可能手段８を握って、マッサージ機１を使用者Ｕの下方に引くことで、マッサージ機１の施療部５を使用者Ｕの首肩部にフィットさせることができる。また、突出部３と使用者Ｕの両肩部に対応した位置に、振動手段９が設けられている。突出部３も本体部２と同じように軟質のクッション材が使用されている。
【００１７】
突出部３の一端側（先端側）には、施療部５のマッサージ機能を選択できる操作スイッチ７が設置されている。また、マッサージ機１には、図示していない外部電源から電力の供給を受けるための電源コードが備えられている。
施療固定部４は、本体部２の中央部から下方向に向けて膨らむように突出していて、使用者Ｕの背中上部を覆うように形成されている。この施療固定部４には、施療部５が収まる開口部が形成されている。この開口部は、本体部２の前方向に向かって開放されるよう
に開口されていて、施療部５のハウジング１１全体が、収まるような形状で形成されている。
【００１８】
施療部５は、マッサージ機１の駆動部１０を収めるハウジング１１があり、このハウジング１１は、前側ハウジングと後側ハウジングに分割されている。図４は、前側ハウジングを取り外した状態で示してあり、図５は、施療部５の駆動状態の断面左側面図を示している。
施療部５には、ハウジング１１内部に駆動部１０と制御部１２が配置されていて、前側ハウジングには揉み玉６と揉み玉６を回転させる基部２４が備えられている。
【００１９】
揉み玉６は、ハウジング１１（前側ハウジング）に対して直交するように前方向に突出して形成している。揉み玉６の形状は、外観が山形状であり、揉み玉６の頂部はアールをつけて形成している。また、揉み玉６の頂部は、駆動部１０の回転軸２０に対して偏心回転するようになっている。また、一対の揉み玉６は、互いに異方向に回転するようになっていて、回転方向の切り替えが可能である。揉み玉の回転方向を切り替えるために、制御部１２が反転信号を出力して、駆動部１０にある電動モータ１３の駆動を反転（逆転）させることで、揉み玉６の回転方向が切り替わる。
【００２０】
施療部５の駆動部１０は、揉み玉６を回転させている。この駆動部１０は、電動モータ１３・ウォームギア１４・第１ギア１５・第２ギア１６で構成されている。この駆動部１０と駆動部１０を制御する制御部１２は、ハウジング１１の内部に収められている。電動モータ１３は、ハウジング１１の中央部に備えられていて、揉み玉６の回転軸に対して、電動モータ１３の駆動軸が直交するように（交差するように）、配置されている。電動モータ１３の駆動軸には、ウォームギア１４が取り付けられていて、噛み合った第１ギアに動力を伝達している。この第１ギア１５は、第１ギア１５の回転軸１９を中心に回転して次の第２ギア１６へと動力を伝達している。第２ギア１６の回転軸２０には、揉み玉６が連結されていて、第２ギア１６が回転すると共に揉み玉６も同方向に回転する。
【００２１】
第１ギア１５及び第２ギア１６は、電動モータ１３の駆動軸を中心線として左右対称に配置されて、ウォームギア１４によって、電動モータ１３の駆動を左右に振り分けて一対の揉み玉６を異方向に回転させている。また、制御部１２は、動作信号及び回転信号などの制御信号を出力して、この制御信号で駆動部１０を駆動させている。
制御部１２は、使用者Ｕが希望したマッサージのプログラムに応じた制御信号を送信して、各マッサージ機構を稼働させる。前述した突出部にある操作スイッチ７は、マッサージのプログラムを選択することが可能である。制御部１２は、操作スイッチに応じて、マッサージに関する始動信号及び停止信号や、回転に関する反転信号を出力して、駆動部１０の電動モータ１３を駆動させている。また、制御部１２は、発熱手段１７や振動手段９に関する制御信号も出力して、発熱手段１７及び振動手段９を稼働させている。
【００２２】
発熱手段１７は、揉み玉６の内部に設けられている。発熱手段１７には、発熱体１８が備えられている。この発熱体１８が発熱することによって、使用者Ｕの患部を温熱施療することが可能となる。使用者Ｕが温熱施療することを選択すると、制御部１２は、発熱信号を出力して、発熱手段１７にある発熱体１８を発熱させる。
発熱体１８の内部には、発熱用のニクロム線と点灯用のＬＥＤが内蔵されている。このＬＥＤはニクロム線の発熱と同時に点灯するため、使用者Ｕは、揉み玉６が透過性乃至は半透過性を有していることにより、ＬＥＤの発光状態を確認することができて、発熱手段１７の動作（発熱状態）の状態を把握することができる。
【００２３】
図３に示すように、振動手段９は、突出部３と使用者Ｕの両肩部に対応した位置に備えられている。この振動手段９が振動することによって、使用者Ｕの両肩の患部を振動施療することが可能となる。使用者Ｕが振動施療することを選択すると、制御部１２は、振動信号を出力して、振動手段９にある小型電動モータ２１を駆動させる。
振動手段９は、内部に小型電動モータ２１が内蔵されていて、樹脂などでできたケースで形成されている。この小型電動モータ２１の回転軸２２には、偏心ウエイト２３が取り付けられている。この偏心ウエイト２３は、小型電動モータ２１が回転すると共に回転して、振動手段９の振動を発生させている。
【００２４】
また、振動手段９は、振動の間隔を変更することが可能である。例えば、単純で連続的な振動の速度を変更する方法がある。制御部１２は、振動間隔を切り替える制御信号を出力することにより、振動手段９に内蔵されている小型電動モータ２１の回転数を変更することができる。このような方法で、振動の間隔（振動の強弱）を変更することが可能である。
【００２５】
次に、上述のマッサージ機１の使用方法について、説明する。
まず、マッサージ機１を装着する前に、図示していない外部電源とマッサージ機１の電源コードを繋いでおく。外部電源からマッサージ機１に電流が供給されることによって、マッサージが行われる。
図６に示すように、マッサージ機１を装着する際には、使用者Ｕは、両側の突出部３の先端部を両手で持ちながら左右外側に広げる。さらに、使用者Ｕは、マッサージ機１を使用者Ｕの頭上に持ち上げて、使用者Ｕの首肩部の後方から首部に架けるように背負う。このように装着することで、マッサージ機１全体が首肩部周りに巻くように覆われる。
【００２６】
そして、本体部２に備えている施療部５が、使用者Ｕの首肩部に当接して、突出部３にある振動手段９が、使用者Ｕの肩部と対応するような位置に配備される。使用者Ｕが、突出部３の先端部にある把持可能手段８を両手で握って使用者Ｕの下方に引くことで、施療部５が押し付けられて、使用者Ｕの首肩部とマッサージ機１がフィットした状態になり、保持することができる。
【００２７】
まず、使用者Ｕがマッサージを始めるには、電源が入っていることを確認する。使用者Ｕは、突出部３に設けられている操作スイッチ７にある希望する施療手段を選択することにより、マッサージを行うことが可能となる。
はじめに、使用者Ｕが、揉み玉６を利用したマッサージを選択した場合には、操作スイッチ７にある回転施療を選択することにより、制御部１２は、回転施療に関する始動信号及び停止信号を出力して、施療部５が揉み玉６を回転させて使用者Ｕの患部を施療する。本発明のマッサージ機１は、揉み玉６の回転方向を切り替えることも可能である。揉み玉６の回転方向を切り替えるには、使用者Ｕが操作スイッチ７にある揉み玉６の回転方向を切り替える手段を選択することにより、制御部１２が揉み玉６の回転方向を切り替える信号を出力して、揉み玉６の回転方向を切り替えることが可能である。
【００２８】
この揉み玉６の内部には、発熱手段１７が設けられており、揉み玉６を発熱させて温熱施療をすることも可能である。揉み玉６の発熱手段１７を発熱させるには、操作スイッチ７にある温熱施療を選択することにより、制御部１２が揉み玉６にある発熱手段１７に発熱信号を出力して、発熱手段１７にある発熱体１８を発熱させると共に発熱体１８に内蔵されたＬＥＤが点灯する。このＬＥＤが点灯することにより、発熱体１８の動作状態を確認することができる。これにより、本発明のマッサージ機１は、使用者Ｕの首肩部に十分なマッサージ効果を提供することができる。
【００２９】
次に、振動手段９を利用したマッサージを選択した場合には、操作スイッチ７にある振動施療を選択することにより、制御部１２が振動手段９に振動信号を出力して、小型電動モータ２１を駆動させて、振動手段９を振動させている。この振動手段９は、予め単純な連続的振動や規則性のない振動などのマッサージのプログラムを制御部１２に設定しておくと、設定されたプログラムに沿ったマッサージが可能である。使用者Ｕの肩部には、振動手段９が振動することで十分なマッサージ効果を提供することが可能である。
【００３０】
マッサージ機１のマッサージを終了させるには、使用者Ｕが操作スイッチにあるマッサージ動作停止を選択することにより、制御部１２がマッサージ動作停止信号を施療部５及び振動手段９に出力して、マッサージ機１の動作が停止して、マッサージが終了する。
本発明のマッサージ機１は、使用者Ｕが把持可能手段８を握ることで、マッサージ機１と使用者Ｕの首肩部をフィットさせることが可能である。また、使用者Ｕが両手で把持可能手段８を握らなくてもマッサージは可能であり、マッサージ中に使用者Ｕの両手が自由に使えるようになるため、読書や事務作業などの別の作業をすることが可能である。
【００３１】
本発明のマッサージ機１は、使用者Ｕの首肩部だけに限定されるものでは無く、使用者Ｕの腰部及び脚部などにも使用が可能である。また、マッサージ機１本体の形状は、使用
者Ｕの首肩部に沿うような形状であれば、種々の変更可能である。
なお、今回開示された実施形態において、明示されていない事項、例えば、作動条件や操作条件、構成物の寸法、重量などは、当業者が通常実施する範囲を逸脱するものではなく、通常の当業者であれば、容易に想定することが可能な事項を採用している。
【符号の説明】
【００３２】
１  マッサージ機
２  本体部
３  突出部
４  施療固定部
５  施療部
６  揉み玉
７  操作スイッチ
８  把持可能手段
９  振動手段
１０  駆動部
１１  ハウジング
１２  制御部
１３  電動モータ
１４  ウォームギア
１５  第１ギア
１６  第２ギア
１７  発熱手段
１８  発熱体
１９  第１ギアの回転軸
２０  第２ギアの回転軸
２１  小型電動モータ
２２  小型電動モータの回転軸
２３  偏心ウエイト
２４  基部
Ｕ  使用者
【図１】
2013031567.tif 000003
【図２】
2013031567.tif 000004
【図３】
2013031567.tif 000005
【図４】
2013031567.tif 000006
【図５】
2013031567.tif 000007
【図６】
2013031567.tif 000008